(57)【特許請求の範囲】
【請求項１】
基板の周縁各辺に連設した側板を起立させ、隣接する側板同士を連結し、基板及び対向する側板に跨った折目線を挟んで対称な位置にそれぞれ切込によるロック片を設け、扁平化した状態で折目線に沿って二つ折りにし、重なり合ったロック片を同方向へ折り曲げて、折畳状態を保持するようにした折畳ロック付紙箱において、前記各ロック片を、基板と側板の稜部に位置させ、その基板に位置する部分と、側板に位置する部分とを、それぞれ中央部が括れた鼓状としたことを特徴とする折畳ロック付紙箱。
【発明の詳細な説明】
【０００１】
【発明の属する技術分野】
この発明は、嵩低く折り畳んだ状態で廃棄できるようにした折畳ロック付の紙箱に関するものである。
【０００２】
【従来の技術】
例えば、厚紙製の包装箱を廃棄する際には、嵩を低くするため、その身及び蓋を、それぞれ扁平化した状態で二つ折りにすることがある。このとき、厚紙の反発による折目の戻りを防ぐロックとして、一般に、図８に示すようなものが使用される。
【０００３】
このロックは、重なり合う厚紙シート５０に、切込による先広がり台形状のロック片５１を設け、ロック片５１，５１を同方向に折り曲げて、一方のロック片５１が抜け出した抜穴の側縁と、他方のロック片５１の側縁との摩擦により、両シート５０，５０の重合状態を保持するものである。
【０００４】
【発明が解決しようとする課題】
しかしながら、上記のようなロックでは、シートの反発が大きい場合、ロック片の折り曲げが不意に戻ってロックが外れることがある。
【０００５】
そこで、この発明は、嵩低く折り畳んだ状態を確実に保持できる折畳ロック付紙箱を提供しようとするものである。
【０００６】
【課題を解決するための手段】
上記課題を解決するため、この発明は、基板の周縁各辺に連設した側板を起立させ、隣接する側板同士を連結し、基板及び対向する側板に跨った折目線を挟んで対称な位置にそれぞれ切込によるロック片を設け、扁平化した状態で折目線に沿って二つ折りにし、重なり合ったロック片を同方向へ折り曲げて、折畳状態を保持するようにした折畳ロック付紙箱において、前記各ロック片を、基板と側板の稜部に位置させ、その基板に位置する部分と、側板に位置する部分とを、それぞれ中央部が括れた鼓状としたのである。
【０００７】
このような位置に鼓状のロックを設けると、側板を基板に重ねて嵩低く折り畳んだ状態において、一方のロック片が抜け出した抜穴の突出部に他方のロック片が係合し、重なり合ったシートが確実にロックされる。
【０００８】
【発明の実施の形態】
以下、この発明の実施の形態を添付図面に基づいて説明する。
【０００９】
図１は、この発明に係る折畳ロック付の包装用紙箱を示す。この紙箱は、段ボールシートを素材とし、商品を収納する身１と、それに被せる蓋２とから構成されている。
【００１０】
身１は、図２に示すブランクから成り、このブランクでは、基板３の周縁各辺のうち、一方の対の２辺に側板４、頂板５及び重合板６が、他方の対の２辺に側板７、頂板８及び重合板９がそれぞれ順次連設され、側板４及び重合板９の両側縁には、それぞれ折曲片１０，１１が連設されている。
【００１１】
基板３と両方の側板７、頂板８及び重合板９には、折目線１２が連続して設けられ、この折目線１２を対称軸として、基板３と側板４の稜部には、切込による１組のロック片１３が設けられている。
【００１２】
各ロック片１３は、基板３に位置する部分と、側板４に位置する部分とが隣接するものであり、これらの部分は、それぞれ中央部が括れた鼓状となっている。
【００１３】
このようなブランクを身１に組み立てるには、基板３に対し側板４及び側板７を起立させ、折曲片１０を側板７と重合板９とで挟持し、折曲片１１を側板４と重合板６とで挟持する。
【００１４】
一方、蓋２は、図３に示すブランクから成り、このブランクでは、基板２０の周縁各辺のうち、一方の対の２辺に側板２１が、他方の対の２辺に側板２２がそれぞれ連設され、側板２２の両側縁には折曲片２３が連設されている。
【００１５】
基板２０と両方の側板２２には、折目線２４が連続して設けられ、この折目線２４を対称軸として、基板２０と側板２２の稜部には、切込による１組のロック片２５が設けられている。
【００１６】
各ロック片２５は、基板２０に位置する部分と、側板２２に位置する部分とが隣接するものであり、これらの部分は、それぞれ中央部が括れた鼓状となっている。また、側板２１には、基板２０の角を起点とする４５°の折目線２６が設けられている。
【００１７】
このようなブランクを蓋２に組み立てるには、基板２０に対し側板２１及び側板２２を起立させ、折曲片２３を側板２１に貼着する。
【００１８】
そして、商品の梱包に際しては、上記のように組み立てた身１に商品を収納して、その上方から蓋２を被せる。
【００１９】
一方、この紙箱を廃棄する際、身１を折り畳むには、図４に示すように、重合板６をはね上げ、側板７を外側へ倒し、側板４を内側へ折り曲げる。
【００２０】
その後、図５に示すように、扁平となった身１を折目線１２に沿って二つ折りにし、ロック片１３，１３を同方向に折り曲げる。
【００２１】
このとき、ロック片１３の括れに対応して、一方のロック片１３が抜け出した抜穴の側縁に突出部が形成され、この突出部に他方のロック片１３が係合する。
【００２２】
このため、重合板９などの厚さによりロックの部分で段ボールシートの間に距離が生じても、身１は折畳状態で確実にロックされる。
【００２３】
また、蓋２を折り畳むには、図６に示すように、側板２１を折目線２６に沿って内側に折り曲げつつ、側板２２を内側へ倒して扁平化する。
【００２４】
そして、扁平となった蓋２を、図７に示すように、折目線２４に沿って二つ折りにし、ロック片２５，２５を同方向に折り曲げる。
【００２５】
これにより、一方のロック片２５の抜穴の側縁に突出部が形成され、この突出部に他方のロック片２５が係合し、蓋２は段ボールシートが重なり合った折畳状態で確実にロックされる。
【００２６】
また、上記身１及び蓋２のロックでは、ロック片１３，２５をいずれの方向に折り曲げても同様にロックされるので、折曲方向を意識する必要がない。
【００２７】
そのほか、材料の段ボールシートの厚さに応じて、ロック片１３，２５の大きさを変化させることにより、ロックの強度を調整できる。
【００２８】
【発明の効果】
以上のように、この発明に係る折畳ロック付紙箱では、基板と側板の稜部に鼓状のロック片を設けたので、側板を基板に重ねて嵩低く折り畳んだ状態において、一方のロック片が抜け出した抜穴の突出部に他方のロック片が係合し、重なり合ったシートが確実にロックされ、折畳状態が維持される。
【図面の簡単な説明】
【図１】この発明に係る折畳ロック付紙箱の身及び蓋を示す斜視図
【図２】同上の身のブランクを示す図
【図３】同上の蓋のブランクを示す図
【図４】同上の身の折畳過程を示す斜視図
【図５】同上の身の折畳状態を示す斜視図
【図６】同上の蓋の折畳過程を示す斜視図
【図７】同上の蓋の折畳状態を示す斜視図
【図８】従来のロックを示す斜視図
【符号の説明】
１  身
２  蓋
３，２０  基板
４，２１  側板
７，２２  側板
１２，２４  折目線
１３，２５  ロック片
【図１】
0003602800.tif 000002
【図２】
0003602800.tif 000003
【図３】
0003602800.tif 000004
【図４】
0003602800.tif 000005
【図５】
0003602800.tif 000006
【図６】
0003602800.tif 000007
【図７】
0003602800.tif 000008
【図８】
0003602800.tif 000009